(57)【要約】【課題】記録された映像が改ざん又は削除されることを防止することができる車載映像記録装置及びその制御方法を提供する。【解決手段】本発明の一つの実施形態に係る車載映像記録装置は、車両の周辺を撮影した映像が記録される不揮発性メモリであって、記録されたデータに対するアクセスが制限されない第１記憶部と、映像が記録される内蔵型の不揮発性メモリであって、所定の認証処理が行われたときに限り、記録されたデータに対するアクセスが許可される第２記憶部と、車両の挙動の変化を表す物理量を測定するセンサから出力される物理量の大きさが第１閾値を超えたときに車両の挙動の変化に関するイベントが発生したと判定し、イベント発生時の画像を含む映像を、第１記憶部及び第２記憶部に記録する記録制御部と、を備える。【選択図】図４
2020004223.tif 000002
【特許請求の範囲】
【請求項１】
車両の周辺を撮影した映像が記録される不揮発性メモリであって、記録されたデータに対するアクセスが制限されない第１記憶部と、
前記映像が記録される内蔵型の不揮発性メモリであって、所定の認証処理が行われたときに限り、記録されたデータに対するアクセスが許可される第２記憶部と、
前記車両の挙動の変化を表す物理量を測定するセンサから出力される前記物理量の大きさが第１閾値を超えたときに、前記車両の挙動の変化に関するイベントが発生したと判定し、イベント発生時の画像を含む前記映像を、前記第１記憶部及び前記第２記憶部に記録する記録制御部と、
を備える車載映像記録装置。
【請求項２】
前記第１記憶部は、車載映像記録装置からの取り外しが可能であり、
前記第２記憶部は、車載映像記録装置の筐体内の基板上に実装されるメモリ回路である、
請求項１に記載の車載映像記録装置。
【請求項３】
複数の操作ボタンと、
前記操作ボタンが所定の順序又は組み合わせで操作された場合に、前記認証処理が行われたと判定するアクセス認証部と、
を更に備える請求項１又は２に記載の車載映像記録装置。
【請求項４】
外部装置と通信を行うための通信部と、
前記通信部を介して所定の認証信号を受信した場合に、前記認証処理が行われたと判定するアクセス認証部と、
を更に備える請求項１又は２に記載の車載映像記録装置。
【請求項５】
前記アクセス認証部は、車載映像記録装置が起動してから一定期間に、前記認証処理の判定を行う、
請求項３又は４に記載の車載映像記録装置。
【請求項６】
前記記録制御部は、
前記物理量の測定値の大きさが前記第１閾値よりも大きい第２閾値を超えた場合に、前記映像を前記第１記憶部及び前記第２記憶部に記録し、
前記物理量の測定値の大きさが前記第１閾値を超えており、かつ、前記第２閾値以下である場合には、前記映像を前記第１記憶部に記録する、
請求項１から５のいずれか一項に記載の車載映像記録装置。
【請求項７】
前記記録制御部は、
前記車両にイベントが発生したときの前記映像の情報変化量が、所定量を超えた場合に、前記映像を前記第１記憶部及び前記第２記憶部に記録し、
前記物理量の測定値の大きさが前記第１閾値を超えており、かつ、前記映像の情報変化量が前記所定量以下である場合には、前記映像を前記第１記憶部に記録する、
請求項１から６のいずれか一項に記載の車載映像記録装置。
【請求項８】
車両の周辺を撮影した映像が記録される不揮発性メモリであって、記録されたデータに対するアクセスが制限されない第１記憶部と、
前記映像が記録される内蔵型の不揮発性メモリであって、所定の認証処理が行われたときに限り、記録されたデータに対するアクセスが許可される第２記憶部と、
を備える車載映像記録装置の制御方法であって、
前記車両の挙動の変化を表す物理量を測定するセンサから出力される前記物理量の大きさが第１閾値を超えたときに前記車両の挙動の変化に関するイベントが発生したと判定し、イベント発生時の画像を含む前記映像を、前記第１記憶部及び前記第２記憶部に記録するステップを有する制御方法。
【発明の詳細な説明】
【技術分野】
【０００１】
本発明は、車載映像記録装置及びその制御方法に関する。
【背景技術】
【０００２】
従来、主に大型車両又はパトカー等の特殊車両に搭載されていたドライブレコーダが、近年は一般車両に普及しつつある。一般的なドライブレコーダは、カメラと、加速度センサ等のセンサとを備え、走行中の車両の周辺の映像を撮影し、事故等のイベントを検知したときには、イベント発生時の映像をセンサの測定値と共に記録する。これにより、事故等のイベント発生時には、ドライブレコーダに記録された映像及びセンサの測定値の情報を解析することによって、事故原因が特定される。
【０００３】
例えば、特許文献１の表示制御システムは、車両に搭載されたドライブレコーダによって記録されたイベント発生時の映像を、複数のサムネイル画像により表示し、イベント発生時の状況を把握し易くすることで、早期に事故原因を特定することを可能としている。
【先行技術文献】
【特許文献】
【０００４】
【特許文献１】特開２０１３−２３５３９５号公報
【発明の概要】
【発明が解決しようとする課題】
【０００５】
ドライブレコーダには、運転手等の当事者にとって不利となるような映像が記録されることもある。したがって、当事者がドライブレコーダに記録された映像を閲覧し、その映像が自分にとって不利なものであると判断したときには、証拠隠滅のために当事者によって映像が改ざん又は削除されたり、映像が記憶媒体ごと持ち去られるおそれがある。
【０００６】
そこで、本発明は、記録された映像が改ざん又は削除されることを防止することができる車載映像記録装置及びその制御方法を提供することを目的とする。
【課題を解決するための手段】
【０００７】
本発明の一つの実施形態に係る車載映像記録装置は、車両の周辺を撮影した映像が記録される不揮発性メモリであって、記録されたデータに対するアクセスが制限されない第１記憶部と、映像が記録される内蔵型の不揮発性メモリであって、所定の認証処理が行われたときに限り、記録されたデータに対するアクセスが許可される第２記憶部と、車両の挙動の変化を表す物理量を測定するセンサから出力される物理量の大きさが第１閾値を超えたときに車両の挙動の変化に関するイベントが発生したと判定し、イベント発生時の画像を含む映像を、第１記憶部及び第２記憶部に記録する記録制御部と、を備える。
【０００８】
本発明の一つの実施形態に係る車載映像記録装置の制御方法は、車両の周辺を撮影した映像が記録される不揮発性メモリであって、記録されたデータに対するアクセスが制限されない第１記憶部と、映像が記録される内蔵型の不揮発性メモリであって、所定の認証処理が行われたときに限り、記録されたデータに対するアクセスが許可される第２記憶部と、を備える車載映像記録装置の制御方法であって、車両の挙動の変化を表す物理量を測定するセンサから出力される物理量の大きさが第１閾値を超えたときに車両の挙動の変化に関するイベントが発生したと判定し、イベント発生時の画像を含む映像を、第１記憶部及び第２記憶部に記録するステップを有する。
【発明の効果】
【０００９】
本発明によれば、記録された映像が改ざん又は削除されることを防止することができる車載映像記録装置及びその制御方法が提供される。
【図面の簡単な説明】
【００１０】
【図１】第１実施形態に係る車載映像記録装置１を搭載した車両２が道路を走行中の様子を示した図である。
【図２】第１実施形態に係る車載映像記録装置１を搭載した車両２にイベントが発生したときの様子を示した図である。
【図３】第１実施形態に係る車載映像記録装置の構成を示したブロック図である。
【図４】第１実施形態に係る車載映像記録装置における記録制御処理の一例を示したフローチャートである。
【図５】第１実施形態に係る車載映像記録装置における第２記憶部へアクセスするための認証処理の一例を示したフローチャートである。
【発明を実施するための形態】
【００１１】
以下、本発明の好適な実施形態について図面を用いて説明する。なお、本発明は以下の実施形態に限定されるものではなく、その要旨を逸脱しない範囲において適宜変更可能である。また、各図において同一、又は相当する機能を有するものは、同一符号を付し、その説明を省略又は簡潔にすることもある。
【００１２】
本発明の車載映像記録装置は、急ブレーキ、急ハンドル、衝突等のイベントが車両に発生したことを検知すると、イベント発生時の画像を含む映像を第１記憶部及び第２記憶部に記録する。ここで、第１記憶部は、記録されたデータに対するアクセスが特に制限されない不揮発性メモリであり、第２記憶部は、所定の認証処理が行われたときに限り、記録されたデータに対するアクセスが許可される内蔵型の不揮発性メモリである。第２記憶部に記録された映像へアクセスするための認証処理は、警察等の特別な人間に対してのみ公開され、運転手等の当事者に対しては公開されない。したがって、本発明の車載映像記録装置では、第２記憶部に記録された映像が当事者等によって改ざん又は削除されることが防止される。
【００１３】
［第１実施形態］
図１は、第１実施形態に係る車載映像記録装置１を搭載した車両２が道路を走行中の様子を示した図である。また、図２は、第１実施形態に係る車載映像記録装置１を搭載した車両２にイベントが発生したときの様子を示した図である。車載映像記録装置１の構成等は、後の図３で詳細に説明するため、ここでは簡単に説明する。
【００１４】
図１に示されるように、車載映像記録装置１は、車両２に搭載される。車載映像記録装置１は、走行中の車両２の周辺の映像を撮影するカメラ等の撮像装置と、急ブレーキ、急ハンドル、衝突等によって車両２に生じる物理量を測定するための加速度センサ等のセンサを備える。車載映像記録装置１は、撮像装置によって撮影された走行中の車両２の周辺の映像を、車載映像記録装置１の基板上に実装されたＤＲＡＭ等の主記憶メモリ上に一時的に保持する。
【００１５】
図２に示されるように、車両２が前方車両３に衝突すると、車載映像記録装置１は、センサによって測定された物理量の大きさに基づいて、車両２にイベントが発生したことを検知する。車載映像記録装置１は、車両２にイベントが発生したことを検知すると、主記憶メモリ上に保持されているイベント発生時の画像を含む映像を、車載映像記録装置１が備える不揮発性メモリである第１記憶部及び第２記憶部に記録する。
【００１６】
図３は、第１実施形態に係る車載映像記録装置１の構成を示したブロック図である。車載映像記録装置１は、主記憶メモリ１０、第１記憶部１１、第２記憶部１２、撮像装置１３、センサ１４、測位部１５、通信部１６、操作ボタン１７、表示部１８、及び制御部１９を有する。
【００１７】
主記憶メモリ１０は、車載映像記録装置１の基板上に実装されたＤＲＡＭ（Ｄｙｎａｍｉｃ  Ｒａｎｄｏｍ−Ａｃｃｅｓｓ  Ｍｅｍｏｒｙ）等の揮発性メモリである。主記憶メモリ１０には、撮像装置１３によって撮影された映像が一時的に保持される。
【００１８】
第１記憶部１１は、記録された映像等のデータに対する運転手等の当事者による閲覧及び削除等のアクセスが特に制限されない不揮発性メモリである。第１記憶部１１としは、例えば、一般的なドライブレコーダで使用されるＳＤカード、ＵＳＢメモリ等を用いることができる。第１記憶部１１は、車載映像記録装置１からの取り外しが可能なリムーバブルメディアであってもよい。これにより、ユーザは、第１記憶部１１に記録された映像を持ち運ぶことができる。
【００１９】
第２記憶部１２は、記録された映像等のデータに対する閲覧及び削除等のアクセスが制限される不揮発性メモリであって、所定の認証処理が行われたときに限り、記録されたデータに対する閲覧及び削除等のアクセスが許可される。この所定の認証処理は、制御部１９によって判定される。所定の認証処理は、運転手等の当事者に対しては公開されず、警察、或いは警察から協力を依頼されて所定の認証処理を行う特別な人間に対してのみ公開される。したがって、本実施形態の車載映像記録装置１では、第２記憶部１２に記録された映像が、当事者等によって改ざん又は削除されることが防止される。
【００２０】
また、第２記憶部１２は、その存在自体が隠されるように、車載映像記録装置１の筐体内に内蔵される。このため、運転手等の当事者等は、第２記憶部１２の存在自体を知り得ないため、本実施形態の車載映像記録装置１では、第２記憶部１２に記憶された映像が記憶媒体ごと持ち去られることが防止される。そのために、例えば、第２記憶部１２は、車載映像記録装置１の筐体内の基板上に実装されたフラッシュメモリ等のメモリ回路とすることができる。
【００２１】
第２記憶部１２は、車載映像記録装置１の筐体内に内蔵されるため、通常、その記憶容量は、第１記憶部１１と比較して小さい。但し、本実施形態は、これに限定されず、第２記憶部１２の記憶容量は、第１記憶部１１の記憶容量と同等以上であってもよい。
【００２２】
撮像装置１３は、走行中の車両２の周辺の映像を撮影して制御部１９に出力する。撮像装置１３は、例えば、一般的なドライブレコーダが備えるカメラとすることができる。なお、車載映像記録装置１は、撮像装置１３を有さなくてもよい。この場合には、撮像装置１３は、車両２に設けられる運転支援用のカメラとすることができる。撮像装置１３は、車載映像記録装置１の外部に配置されてもよく、例えば、車両２の前方の映像を撮影しやすい位置に配置されて、撮影した映像を無線又は有線を介して制御部１９に出力してもよい。
【００２３】
センサ１４は、車両２に生じる加速度、角速度等の物理量を測定して制御部１９に出力する。センサ１４は、例えば、一般的なドライブレコーダが備える加速度センサとすることができる。なお、車載映像記録装置１は、センサ１４を有さなくてもよい。この場合には、センサ１４は、車両２に設けられる加速度センサ若しくは角速度センサとすることができる。センサ１４は、車載映像記録装置１の外部に配置されてもよく、例えば、衝突等による衝撃を感知しやすい車両２の前方に配置されて、測定した加速度又は角速度等の物理量を、車両２のＥＣＵ（Ｅｌｅｃｔｒｏｎｉｃ  Ｃｏｎｔｒｏｌ  Ｕｎｉｔ）を介して制御部１９に出力してもよい。
【００２４】
測位部１５は、車両２の現在位置を取得して制御部１９に出力する。測位部１５としては、例えば、ＧＰＳ（Ｇｌｏｂａｌ  Ｐｏｓｉｔｉｏｎｉｎｇ  Ｓｙｓｔｅｍ）受信機が用いられる。
【００２５】
通信部１６は、第２記憶部１２に記録された映像へアクセスするための認証処理を行う手段の一つとして利用され、認証処理を行うための認証信号を外部装置から受信するためのインターフェースを提供する。通信部１６を介して受信された認証信号は、制御部１９に出力される。通信部１６は、ドライブレコーダが一般的に備える通信インターフェース回路であってよく、例えば、シリアル通信インターフェース回路とすることができる。これにより、ユーザは、ドライブレコーダが一般的に備える通信部１６を介して、第２記憶部１２に記録された映像へアクセスするための認証処理を行うことができる。
【００２６】
操作ボタン１７は、第２記憶部１２に記録された映像へアクセスするための認証処理を行う手段の一つとして利用され、ユーザが認証処理を行うための操作を行うためのインターフェースを提供する。ユーザが操作ボタン１７に対して行った操作は、制御部１９に出力される。操作ボタン１７は、ドライブレコーダが一般的に備えるハードボタンであってよく、例えば、車載映像記録装置１が備える電源ボタン及び上下左右の方向ボタンとすることができる。これにより、ユーザは、ドライブレコーダが一般的に備える操作ボタン１７を利用して、第２記憶部１２に記録された映像へアクセスするための認証処理を行うことができる。
【００２７】
表示部１８は、液晶ディスプレイ等の表示装置であって、第１記憶部１１及び第２記憶部１２に記録された映像を再生して表示させるために利用される。例えば、ユーザが操作ボタン１７の一つである再生ボタンを操作すると、制御部１９は、第１記憶部１１に記録された映像を読み出して表示部１８に再生して表示させる。また、第２記憶部１２に記録された映像へのアクセスが後述のアクセス認証部１９２によって許可された後は、制御部１９は、第２記憶部１２に記録された映像を読み出して表示部１８に再生して表示させる。
【００２８】
制御部１９は、ＣＰＵ（Ｃｅｎｔｒａｌ  Ｐｒｏｃｅｓｓｉｎｇ  Ｕｎｉｔ）等のプロセッサであって、車載映像記録装置１が行う制御及び演算のためプログラムを実行する。制御部１９は、記録制御部１９１及びアクセス認証部１９２を有する。記録制御部１９１及びアクセス認証部１９２は、例えば、制御部１９によって実行されるソフトウェアモジュール、又はファームウェアとすることができる。
【００２９】
以下、記録制御部１９１及びアクセス認証部１９２の動作について、図４及び図５のフローチャートを参照しながら説明する。
【００３０】
図４は、第１実施形態に係る車載映像記録装置１における記録制御処理の一例を示したフローチャートである。図４に示された記録制御処理は、例えば、車載映像記録装置１が起動した後に、或いは、車両２が走行を開始した後に、一定の処理周期ごとに実行される。
【００３１】
記録制御部１９１は、撮像装置１３によって撮影された車両２の周辺の映像を主記憶メモリ１０に保持する（ステップＳ１１）。この際、車載映像記録装置１は、例えば、主記憶メモリ１０をリングバッファとして利用し、古い映像が新しい映像によって上書きされるようにして、少なくとも一定期間前から現時刻までの映像が主記憶メモリ１０に保持されるようにする。
【００３２】
次に、記録制御部１９１は、センサ１４によって測定された車両２の挙動の変化を表す物理量の大きさが第１閾値を超えているか否かを判定する（ステップＳ１２）。ここで、車両２の挙動の変化を表す物理量としては、例えば、車両２に生じる加速度、又は車両２のヨー角、ピッチ角、ロール角の角速度とすることができる。これによって、例えば、車両２の挙動の変化に関する急ブレーキ、急ハンドル、衝突等のイベントが検出される。センサ１４によって測定された車両２の物理量の大きさが第１閾値以下のとき（ステップＳ１２：Ｎｏ）、記録制御部１９１は、車両２にイベントが発生していないと判断して、本処理周期における記録制御処理を終了する。この第１閾値は、例えば、事前に実施された測定に基づいて、センサ１４が測定する物理量の種類ごとに設定される。
【００３３】
一方、センサ１４によって測定された車両２の物理量の大きさが第１閾値を超えているとき（ステップＳ１２：Ｙｅｓ）、記録制御部１９１は、車両２にイベントが発生したと判断する。記録制御部１９１は、車両２にイベントが発生したことを検知すると、主記憶メモリ１０に保持されているイベント発生直前の一定期間の映像を、第１記憶部１１に記録する（ステップＳ１３）。続いて、記録制御部１９１は、イベント発生直後の一定期間に撮影された映像を、同様に第１記憶部１１に記録する。
【００３４】
この際、記録制御部１９１は、センサ１４によって測定されたイベント発生前後において車両２の挙動の変化を表す加速度又は角速度等の物理量の測定値と、測位部１５によって取得された車両２の位置を、同様に第１記憶部１１に記録してもよい。
【００３５】
次に、記録制御部１９１は、センサ１４によって測定された車両２の物理量の大きさが、第１閾値よりも大きい第２閾値を超えているか否かを判定する（ステップＳ１４）。この第２閾値は、第１閾値と同様に、事前に実施された測定に基づいて、センサ１４が測定する物理量の種類ごとに設定される。例えば、この第２閾値は、車両２が衝突したような場合にセンサ１４によって測定される測定値と同程度の値に設定される。
【００３６】
物理量の測定値の大きさが、第２閾値を超えていないとき（ステップＳ１４：Ｎｏ）、記録制御部１９１は、発生したイベントの程度が、物理量の測定値の観点からは深刻なものではないと判断する。但し、記録制御部１９１は、他の観点からも発生したイベントの程度を判断する。
【００３７】
例えば、記録制御部１９１は、映像を解析することで、発生したイベントの程度を判断する。本実施形態では、記録制御部１９１は、イベント発生時の映像の情報変化量が、所定量を超えているか否かを判定する（ステップＳ１５）。符号化映像の解析においてよく知られているように、ある時刻において映像の情報量が急増したということは、その時刻において映像に大きな変化が生じたことを意味する。例えば、図２に示すような車両２が前方車両３に衝突した状況においては、衝突等によって前方車両３の形状及び大きさが変化したり、前方車両３に火災、煙が発生して前方車両３の色が変化したりして、映像の情報量が急増する。したがって、記録制御部１９１は、イベント発生時の映像の情報変化量が、所定量を超えているか否かを判定することで、発生したイベントの程度を推定することができる。ここで、映像の情報変化量と比較される所定量は、事前に実施された測定に基づいて設定される。
【００３８】
より具体的には、記録制御部１９１は、まず、撮影されたイベント発生時の映像を構成するフレーム画像ごとに、当フレーム画像と前フレーム画像との間で動き探索を行う。そして、記録制御部１９１は、動き補償後の当フレーム画像の画素値と前フレーム画像の画素値の差分の絶対値を画素値とする差分画像を生成し、生成された差分画像の各画素値の総和をフレーム画像の情報変化量とする。このフレーム間予測は、例えば、ＭＰＥＧ（Ｍｏｖｉｎｇ  Ｐｉｃｔｕｒｅ  Ｅｘｐｅｒｔｓ  Ｇｒｏｕｐ）で用いられる前方向予測のみを用いてフレーム間予測されるＰフレーム（Ｐｒｅｄｉｃｔｅｄ  Ｆｒａｍｅ）の技術を用いることができる。記録制御部１９１は、映像を構成するフレーム画像の情報変化量を、映像の情報変化量として用いてステップＳ１５の判定を行う。
【００３９】
イベント発生時の映像の情報変化量が、所定量を超えていないとき（ステップＳ１５：Ｎｏ）、記録制御部１９１は、発生したイベントの程度が、映像を解析することによっても深刻なものではないと判断し、本処理周期における記録制御処理を終了する。
【００４０】
一方、イベント発生時の映像の情報変化量が、所定量を超えているとき（ステップＳ１５：Ｙｅｓ）、又は物理量の測定値の大きさが第２閾値を超えているとき（ステップＳ１４：Ｙｅｓ）、記録制御部１９１は、発生したイベントの程度が深刻なものであると判断する。そして、記録制御部１９１は、映像を第２記憶部１２に記録するために、第２記憶部１２に記憶残容量が存在するか否かを判定する（ステップＳ１６）。
【００４１】
第２記憶部１２に記憶残容量が存在しない場合（ステップＳ１６：Ｎｏ）、記録制御部１９１は、第２記憶部１２に記憶しようとしている映像よりも優先度の低い映像が第２記憶部１２に存在するか否かを判定する（ステップＳ１７）。この優先度は、例えば、その映像が撮影されている期間においてセンサ１４が測定した物理量の最大値に比例した値として算出され、対応する映像と共に第２記憶部１２に記録される。
【００４２】
より優先度の低い映像が第２記憶部１２に存在する場合（ステップＳ１７：Ｙｅｓ）、記録制御部１９１は、優先度の低い映像の上書きを許可する（ステップＳ１８）。一方、より優先度の低い映像が第２記憶部１２に存在しない場合（ステップＳ１７：Ｎｏ）、記録制御部１９１は、第２記憶部１２に映像を記録しないで、本処理周期における記録制御処理を終了する。
【００４３】
優先度の低い映像の上書きが許可された場合、又は第２記憶部１２に記憶残容量が存在する場合（ステップＳ１６：Ｙｅｓ）、記録制御部１９１は、主記憶メモリ１０に保持されたイベント発生直前の一定期間の映像を、第２記憶部１２に記録する（ステップＳ１９）。続いて、記録制御部１９１は、イベント発生直後の一定期間に撮影された映像を、同様に第２記憶部１２に記録する。そして、記録制御部１９１は、本処理周期における記録制御処理を終了する。
【００４４】
この際、記録制御部１９１は、センサ１４によって測定されたイベント発生前後において車両２の挙動の変化を表す加速度又は角速度等の物理量の測定値と、測位部１５によって取得された車両２の位置を、同様に第２記憶部１２に記録してもよい。
【００４５】
なお、第２記憶部１２の記憶容量が第１記憶部１１の記憶容量と同等以上である場合は、ステップＳ１３において、記録制御部１９１は、イベント発生時の映像を、第１記憶部１１及び第２記憶部１２の両方に記録してもよい。この場合、ステップＳ１４以降の処理は省略される。
【００４６】
また、第２記憶部１２の記憶容量が第１記憶部１１の記憶容量と同等以上である場合は、記録制御部１９１は、ステップＳ１６以降の処理を、第１記憶部１１に対して適用してもよい。
【００４７】
図５は、第１実施形態に係る車載映像記録装置１における第２記憶部１２へアクセスするための認証処理の一例を示したフローチャートである。図５に示された認証処理は、例えば、車載映像記録装置１の電源がオンされて車載映像記録装置１が起動した後に実行される。このとき、車載映像記録装置１は、車両２に搭載されたままでもよいし、車両２上から取り外されていてもよい。
【００４８】
車載映像記録装置１が起動すると（ステップＳ２１）、アクセス認証部１９２は、車載映像記録装置１が起動してから一定期間が経過したか否かを判定する（ステップＳ２２）。車載映像記録装置１が起動してから一定期間が経過している場合（ステップＳ２２：Ｙｅｓ）、アクセス認証部１９２は、認証処理を終了する。このように、第２記憶部１２へアクセスするための認証処理を、車載映像記録装置１が起動してから一定期間に制限することで、偶然的に認証処理が行われてしまうことが回避される。
【００４９】
一方、車載映像記録装置１が起動してから一定期間が経過していない場合（ステップＳ２２：Ｎｏ）、アクセス認証部１９２は、認証処理が行われたか否かを判定する（ステップＳ２３）。例えば、アクセス認証部１９２は、複数の操作ボタン１７が所定の順序又は組み合わせで操作されたときに、認証処理が行われたと判定する。或いは、アクセス認証部１９２は、通信部１６を介して所定の認証信号を受信したときに、認証処理が行われたと判定する。これにより、ユーザは、ドライブレコーダが一般的に備える操作ボタン１７を利用して、或いは通信部１６を介して、第２記憶部１２に記録された映像へアクセスするための認証処理を行うことができる。
【００５０】
認証処理が実行されない場合（ステップＳ２３：Ｎｏ）、アクセス認証部１９２は、車載映像記録装置１が起動してから一定期間が経過するまで、ステップＳ２２〜ステップＳ２３を繰り返す。
【００５１】
一方、認証処理が行われた場合（ステップＳ２３：Ｙｅｓ）、アクセス認証部１９２は、第２記憶部１２へのアクセスを許可する（ステップＳ２４）。そして、アクセス認証部１９２は、第２記憶部１２へのアクセスを許可したことを、表示部１８に表示する。この際、アクセス認証部１９２は、第２記憶部１２に記録された映像のリストを表示部１８に表示するようにしてもよい。
【００５２】
以上のように、本実施形態の車載映像記録装置は、急ブレーキ、急ハンドル、衝突等のイベントが車両に発生したことを検知すると、イベント発生時の画像を含む映像を第１記憶部及び第２記憶部に記録する。ここで、第１記憶部は、記録されたデータに対するアクセスが特に制限されない不揮発性メモリであり、第２記憶部は、所定の認証処理が行われたときに限り、記録されたデータに対するアクセスが許可される内蔵型の不揮発性メモリである。第２記憶部に記録された映像へアクセスするための認証処理は、警察等の特別な人間に対してのみ公開され、運転手等の当事者に対しては公開されない。したがって、本実施形態の車載映像記録装置では、第２記憶部に記録された映像が当事者等によって改ざん又は削除されることが防止される。
【００５３】
また、イベント発生時の映像が、第１記憶部と第２記憶部に二重化されて記録されるため、第１記憶部が持ち去られたり損傷したりした場合でも第２記憶部に映像が残される。したがって、イベント発生時の映像が失われてしまうことが防止される。
【００５４】
上述の実施形態は、いずれも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５５】
１    車両
２    車載映像記録装置
３    前方車両
１０    主記憶メモリ
１１    第１記憶部
１２    第２記憶部
１３    撮像装置
１４    センサ
１５    測位部
１６    通信部
１７    操作ボタン
１８    表示部
１９    制御部
１９１    記録制御部
１９２    アクセス認証部
【図１】
2020004223.tif 000003
【図２】
2020004223.tif 000004
【図３】
2020004223.tif 000005
【図４】
2020004223.tif 000006
【図５】
2020004223.tif 000007